(57)【要約】【課題】  スクロール後の画面に表示される画像ファイルを優先して表示する。【解決手段】  情報通信端末１０の未ダウンロード検出部１１はＷｅｂサーバから取得したＨＴＭＬコンテンツのうち、現時点において画面上に表示されているＨＴＭＬコンテンツに対応する画像ファイルから未ＤＬ画像ファイルを検出する。属性情報抽出部１２は、未ＤＬ画像ファイルの属性情報をＨＴＭＬコンテンツから抽出し、文書情報抽出部１３は、ＨＴＭＬ文書情報をＨＴＭＬ文書から抽出し、テーブル格納部１４は、属性情報およびＨＴＭＬ文書情報をＤＬファイル情報テーブル１７に格納する。ダウンロード順設定部１５は、ＤＬファイル情報テーブル１７に格納された情報に基づいてダウンロードする順番を設定し、ダウンロード部１６は、ダウンロード順にしたがって未ＤＬ画像ファイルをダウンロードして画面上に表示させる。【選択図】  図２
2005165651.tif 000002
【特許請求の範囲】
【請求項１】
外部から取得したコンテンツを画面上に表示する情報通信端末であって、
前記コンテンツのうち、現時点において前記画面上に表示されているコンテンツに対応するデータファイルから、まだダウンロードされていない一または複数の未ダウンロードファイルを検出する未ダウンロード検出手段と、
前記未ダウンロード検出手段により検出された前記未ダウンロードファイルを、優先度に応じてダウンロードするダウンロード手段と
を備えることを特徴とする情報通信端末。
【請求項２】
前記未ダウンロードファイルの属性情報を前記コンテンツから抽出する属性情報抽出手段と、
前記属性情報抽出手段により抽出された前記属性情報に基づいて前記未ダウンロードファイルのダウンロード順を設定するダウンロード順設定手段と
をさらに備えることを特徴とする請求項１記載の情報通信端末。
【請求項３】
前記ダウンロード順設定手段は、前記属性情報に含まれる前記未ダウンロードファイルの表示面積の小さい順に前記ダウンロード順を設定することを特徴とする請求項２記載の情報通信端末。
【請求項４】
前記属性情報抽出手段により抽出された前記属性情報に含まれる前記未ダウンロードファイルの格納場所情報に基づいて、前記コンテンツに含まれるソースコードからソースコード情報を抽出するソースコード情報抽出部と、
前記属性情報抽出手段により抽出された前記属性情報および前記ソースコード情報抽出部により抽出された前記ソースコード情報を対応づけて格納させる格納手段とをさらに備え、
ダウンロード順設定手段は、前記格納手段により格納された前記属性情報に基づいて前記未ダウンロードファイルのダウンロード順を設定することを特徴とする請求項２記載の情報通信端末。
【請求項５】
前記未ダウンロード検出手段は、前記ダウンロード手段による前記未ダウンロードファイルのダウンロードが完了した場合に、前記コンテンツのうち、前記画面下方向にスクロールされたときに当該画面上に表示されるコンテンツに対応するデータファイルから、前記未ダウンロードファイルを検出することを特徴とする請求項１〜４のいずれか１項に記載の情報通信端末。
【請求項６】
外部から取得したコンテンツを画面上に表示させる情報通信端末を、
前記コンテンツのうち、現時点において前記画面上に表示されているコンテンツに対応するデータファイルから、まだダウンロードされていない一または複数の未ダウンロードファイルを検出する未ダウンロード検出手段と、
前記未ダウンロード検出手段により検出された前記未ダウンロードファイルを、優先度に応じてダウンロードするダウンロード手段として
機能させるためのプログラム。
【発明の詳細な説明】
【技術分野】
【０００１】
本発明は、情報通信端末およびプログラムに関する。
【背景技術】
【０００２】
従来の通信端末においては、ＷｅｂサイトからＨＴＭＬ文書および画像ファイルにより構成されるＨＴＭＬコンテンツを取得した場合に、以下の手順にしたがって当該ＨＴＭＬコンテンツを画面上に表示させていた。まず、Ｗｅｂサイトから取得したＨＴＭＬ文書を解析することでＷｅｂページを構成し、このＷｅｂページを画面上に表示させる。次に、ＨＴＭＬ文書において指定されている画像ファイルをＷｅｂサイトから順次ダウンロードすることにより、ダウンロードされた画像ファイルを画面上に表示させている。ここで、画像ファイルは、ＨＴＭＬ文書の先頭から記述されている順番にしたがいダウンロードされる。したがって、現在表示されている画面上の画像ファイルがダウンロードされている間に、画面下方向にスクロールした場合には、スクロールする前の画面上に表示される画像ファイルから順にダウンロードが継続されることとなるため、スクロール後の画面上には、なかなか画像が表示されないという問題があった。
【０００３】
下記特許文献１には、ＨＴＭＬ文書内に定義される次画面へのリンク情報に対して先読み指示を事前に設定することで、ユーザが当該ＨＴＭＬ文書に対応する画面を参照している間に、当該先読み指示が設定された次画面の表示に必要なデータをダウンロードし、次画面を表示する際の表示時間を短縮する技術が開示されている。
【特許文献１】特開２０００−０５７０７８号公報
【発明の開示】
【発明が解決しようとする課題】
【０００４】
しかしながら、上記特許文献１に開示されている技術では、事前に設定されたリンク先に対応する次画面のみが先読みの対象となるため、ユーザが取得したＨＴＭＬコンテンツを画面に表示させた際に、スクロール後の画面に表示される画像ファイルを優先して表示させることはできなかった。
【０００５】
そこで、本発明は、上述した課題を解決するために、スクロール後の画面に表示される画像ファイルを優先して表示させることができる情報通信端末およびプログラムを提供することを目的とする。
【課題を解決するための手段】
【０００６】
本発明の情報通信端末は、外部から取得したコンテンツを画面上に表示する情報通信端末であって、上記コンテンツのうち、現時点において画面上に表示されているコンテンツに対応するデータファイルから、まだダウンロードされていない一または複数の未ダウンロードファイルを検出する未ダウンロード検出手段と、未ダウンロード検出手段により検出された未ダウンロードファイルを、優先度に応じてダウンロードするダウンロード手段とを備えることを特徴とする。
【０００７】
また、本発明のプログラムは、外部から取得したコンテンツを画面上に表示させる情報通信端末を、上記コンテンツのうち、現時点において画面上に表示されているコンテンツに対応するデータファイルから、まだダウンロードされていない一または複数の未ダウンロードファイルを検出する未ダウンロード検出手段と、未ダウンロード検出手段により検出された未ダウンロードファイルを、優先度に応じてダウンロードするダウンロード手段として機能させることを特徴とする。
【０００８】
これらの発明によれば、未ダウンロード検出手段により、外部から取得したコンテンツのうち、現時点において画面上に表示されているコンテンツに対応するデータファイルから、まだダウンロードされていない一または複数の未ダウンロードファイルが検出され、ダウンロード手段により、未ダウンロードファイルが優先度に応じてダウンロードされる。これにより、例えば、データファイルのダウンロード中にスクロール操作がなされた場合であっても、スクロール後の画面に表示されるデータファイルを、他のデータファイルよりも優先してダウンロードすることができるため、スクロール後の画面に表示されるデータファイルを優先して表示させることができる。
【０００９】
本発明の情報通信端末において、未ダウンロードファイルの属性情報をコンテンツから抽出する属性情報抽出手段と、属性情報抽出手段により抽出された属性情報に基づいて未ダウンロードファイルのダウンロード順を設定するダウンロード順設定手段とをさらに備えることが好ましい。このようにすれば、未ダウンロードファイルの属性情報に応じた順番でデータファイルをダウンロードさせることができる。
【００１０】
本発明の情報通信端末において、ダウンロード順設定手段は、属性情報に含まれる未ダウンロードファイルの表示面積の小さい順にダウンロード順を設定させることが好ましい。このようにすれば、未ダウンロードファイルの表示面積の小さい順にデータファイルをダウンロードさせることができる。したがって、ユーザ側の視覚的には、より多くの画像をより早く表示させるという効果が得られ、ユーザのストレスを軽減することができる。
【００１１】
本発明の情報通信端末において、属性情報抽出手段により抽出された属性情報に含まれる未ダウンロードファイルの格納場所情報に基づいて、コンテンツに含まれるソースコードからソースコード情報を抽出するソースコード情報抽出部と、属性情報抽出手段により抽出された属性情報およびソースコード情報抽出部により抽出されたソースコード情報を対応づけて格納させる格納手段とをさらに備え、ダウンロード順設定手段は、格納手段により格納された属性情報に基づいて未ダウンロードファイルのダウンロード順を設定することが好ましい。このようにすれば、画面上に表示されているコンテンツと、当該コンテンツの表示内容を記述したソースコードとの対応を把握した上でダウンロードすることができる。
【００１２】
本発明の情報通信端末において、未ダウンロード検出手段は、ダウンロード手段による未ダウンロードファイルのダウンロードが完了した場合に、上記コンテンツのうち、画面下方向にスクロールされたときに当該画面上に表示されるコンテンツに対応するデータファイルから、未ダウンロードファイルを検出させることが好ましい。このようにすれば、ユーザが所望するコンテンツ以降（画面下方向へスクロールしたときに表示されるコンテンツ）に対応する画像ファイルを、当該コンテンツ以前（画面上方向へスクロールしたときに表示されるコンテンツ）に対応する画像ファイルよりも優先してダウンロードすることができるため、ユーザのストレスをより軽減させることができる。
【発明の効果】
【００１３】
本発明に係る情報通信端末およびプログラムによれば、スクロール後の画面に表示される画像ファイルを優先して表示させることができる。
【発明を実施するための最良の形態】
【００１４】
以下、本発明に係る情報通信端末の実施形態を図面に基づき説明する。なお、各図において、同一要素には同一符号を付して重複する説明を省略する。
【００１５】
図１は、実施形態における通信システム１の構成を例示する図である。図１に示すように、情報通信端末１０とＷｅｂサーバ２０は、インターネット３０に接続され、インターネット３０を経由して相互にデータの送受信を行うことができる。
【００１６】
Ｗｅｂサーバ２０は、ＨＴＭＬ（HyperText Markup Language）形式で記述されたＨＴＭＬ文書を含むＨＴＭＬファイルおよび当該ＨＴＭＬ文書において指定される画像ファイル、動画像ファイルならびに音声ファイル等のマルチメディアデータファイル（データファイル）をＨＴＭＬコンテンツ（コンテンツ）として格納する。なお、本実施形態においては、マルチメディアデータファイルの具体例として画像ファイルを用いて説明するが、マルチメディアデータファイルを画像ファイルに限定するものではない。また、コンテンツの内容を記述する言語としては、ＨＴＭＬに限定することなく、例えば、ＸＨＴＭＬ（eXtensible HyperText Markup Language）等の他のマークアップ言語であってもよい。
【００１７】
情報通信端末１０は、Ｗｅｂサーバ２０から取得したＨＴＭＬコンテンツを、Ｗｅｂページとして画面上に表示させる。なお、本実施形態における情報通信端末１０としては、例えば、携帯電話機、簡易型携帯電話機（ＰＨＳ）、通信機能を有する携帯型情報端末（ＰＤＡ）等を含むモバイル端末であってもよいし、パソコン（ＰＣ端末）等の固定端末であってもよい。
【００１８】
次に、図２を参照して情報通信端末１０の機能構成を説明する。図２に示すように、情報通信端末１０は、未ダウンロード検出部１１（未ダウンロード検出手段）と、属性情報抽出部１２（属性情報抽出手段）と、文書情報抽出部１３（ソースコード情報抽出部）と、テーブル格納部１４（格納手段）と、ダウンロード順設定部１５（ダウンロード順設定手段）と、ダウンロード部１６（ダウンロード手段）とを備えている。
【００１９】
未ダウンロード検出部１１は、Ｗｅｂサーバ２０から取得したＨＴＭＬコンテンツのうち、現時点において画面上に表示されているＨＴＭＬコンテンツに対応する画像ファイルから、まだＷｅｂサーバ２０からダウンロードされていない一または複数の画像ファイル（以下、未ＤＬ画像ファイルと記載する）を検出する。なお、Ｗｅｂサーバ２０から取得されたＨＴＭＬコンテンツは、図示しないメモリ上に格納される。また、画面上に表示されるＨＴＭＬコンテンツは、図示しないメモリ上の画面バッファに格納される。したがって、未ダウンロード検出部１１は、画面バッファに格納されたＨＴＭＬコンテンツに基づいて、未ＤＬ画像ファイルを検出する。ここで、未ダウンロードファイルであるか否かは、例えば、未ダウンロードファイルに対応するアイコン（例えば、四角形“□”の中に×印が表示されているアイコン）が画面バッファ中に存在するか否かで判断することができる。
【００２０】
属性情報抽出部１２は、未ＤＬ画像ファイルの属性情報を、メモリに格納されたＨＴＭＬコンテンツから抽出する。属性情報としては、例えば、画像ファイルが格納されているアドレス情報（ＵＲＬ）や、画像ファイルの表示面積が該当する。この表示面積は、例えば、ＨＴＭＬ文書に記述されている未ＤＬ画像ファイルに関するタグ文（例えば、＜ｉｍｇ ｓｒｃ＞）の属性として記述される画像ファイルの横幅（例えば“ＷＩＤＴＨ”）および画像ファイルの高さ（例えば、“ＨＥＩＧＨＴ”）に基づいて算出される。
【００２１】
文書情報抽出部１３は、未ＤＬ画像ファイルのアドレス情報に基づいて、メモリに格納されたＨＴＭＬ文書（ソースコード）からＨＴＭＬ文書情報（ソースコード情報）を抽出する。ＨＴＭＬ文書情報としては、例えば、未ＤＬ画像ファイルのファイル名が記述されているタグ文（例えば、＜ｉｍｇ ｓｒｃ＝“ファイル名”＞）や、当該タグ文が記述されている場所（例えば、ＨＴＭＬ文書内における記述行数）が該当する。これにより、画面上に表示されているＨＴＭＬコンテンツと、ＨＴＭＬ文書中に記述されているソースコードとの対応がとれることとなり、画面上に表示されているＨＴＭＬコンテンツが、ＨＴＭＬ文書中のどの部分に記述されているのかを把握することができる。
【００２２】
テーブル格納部１４は、属性情報抽出部１２および文書情報抽出部１３により抽出された属性情報およびＨＴＭＬ文書情報に基づいてＤＬファイル情報を生成し、当該ＤＬファイル情報をＤＬファイル情報テーブル１７に格納する。ここで、図３を参照して、ＤＬファイル情報テーブル１７のテーブル構成について説明する。ＤＬファイル情報テーブル１７は、データ項目として、例えば、管理番号、アドレス情報、表示面積、タグ情報、記述行数を有する。管理番号には、例えば“０００１”のように、未ＤＬ画像ファイルを識別するための番号が格納される。アドレス情報には、例えば、“ｗｗｗ．ａ．ｎｅ．ｊｐ／Ａ．ｊｐｇ”のように、未ＤＬ画像ファイルが存在するＵＲＬが格納される。表示面積には、例えば、“２００”のように、未ＤＬ画像ファイルの表示面積が格納される。タグ情報には、例えば、“＜ｉｍｇ ｓｒｃ＝“Ａ．ｊｐｇ” ｗｉｄｔｈ＝“１０” ｈｅｉｇｈｔ＝“２０”＞”のように、未ＤＬ画像ファイルのファイル名が記述されているタグ文が格納される。記述行数には、例えば、“８行目”のように、上記タグ情報に対応するタグ文のＨＴＭＬ文書内における記述行数が格納される。なお、ＤＬファイル情報テーブル１７に格納されるＤＬファイル情報は、画面スクロールが実行されるごと、あるいは、Ｗｅｂサーバ２０から取得されるＨＴＭＬ文書が変更されるごとに削除される。その後、ＤＬファイル情報テーブル１７には、新たに生成されたＤＬファイル情報が格納される。
【００２３】
図２に示すダウンロード順設定部１５は、属性情報抽出部１２により抽出された属性情報に基づいて未ＤＬ画像ファイルのダウンロード順を設定する。具体的に説明すると、ダウンロード順設定部１５は、例えば、属性情報に含まれる未ＤＬ画像ファイルの表示面積に基づいて、表示面積の小さい順にダウンロード順を設定する。このように未ＤＬ画像ファイルの表示面積の小さい順にダウンロードして表示させることにより、視覚的には、より多くの画像をより早く表示させるという効果が得られ、ユーザのストレスを軽減することができる。
【００２４】
ダウンロード部１６は、未ダウンロード検出部１１により検出された未ＤＬ画像ファイルに対応するダウンロードの優先度を、他の未ＤＬ画像ファイルに対応するダウンロードの優先度よりも高く設定し、当該優先度に応じてダウンロードする。すなわち、ダウンロード部１６は、現時点において画面上に表示されているＨＴＭＬコンテンツに対応する画像ファイルを、現時点において画面上に表示されていないＨＴＭＬコンテンツに対応する画像ファイルよりも先にダウンロードして画面上に表示させる先読み処理を行う。これにより、画像ファイルのダウンロード中にスクロール操作がなされた場合であっても、スクロール後の画面に表示される画像ファイルを優先してダウンロードし、画面上に表示させることができる。
【００２５】
次に、図４および図５を参照して本実施形態における情報通信端末１０の動作を説明する。まず、本実施形態における情報通信端末１０の概要動作について図４を参照して説明する。
【００２６】
この概要動作は、情報通信端末１０がインターネット３０上に存在するＷｅｂサーバ２０にアクセスすることによって開始される。
【００２７】
図４に示すように、まず、情報通信端末１０は、ユーザからの操作指示にしたがってＨＴＭＬ文書の参照要求をＷｅｂサーバ２０に送信する（ステップＳ１）。次に、情報通信端末１０は、参照要求に対応するＨＴＭＬ文書をＷｅｂサーバ２０から取得する（ステップＳ２）。次に、情報通信端末１０は、ＨＴＭＬ文書を解析することでＷｅｂページを構成し、このＷｅｂページを画面上に表示させる（ステップＳ３）。次に、情報通信端末１０は、後述する先読み処理を行って未ＤＬ画像ファイルを順次ダウンロードし、画面上に表示させる（ステップＳ４）。次に、情報通信端末１０は、通常のダウンロード処理にしたがって他の未ＤＬ画像ファイルをダウンロードする（ステップＳ５）。すなわち、ＨＴＭＬ文書の先頭から記述されている順番に他の未ＤＬ画像ファイルをダウンロードする。
【００２８】
次に、図５を参照して、上述した先読み処理（図４のＳ４）における詳細動作について説明する。まず、情報通信端末１０の未ダウンロード検出部１１は、Ｗｅｂサーバ２０から取得したＨＴＭＬコンテンツのうち、現時点において画面上に表示されているＨＴＭＬコンテンツに対応する画像ファイルから、まだＷｅｂサーバ２０からダウンロードされていない画像ファイルを検出する（ステップＳ１１）。
【００２９】
次に、未ダウンロード検出部１１は、未ＤＬ画像ファイルが検出されたか否かを判定する（ステップＳ１２）。この判定がＮＯである場合（ステップＳ１２；ＮＯ）には、先読み処理を終了する。
【００３０】
一方、ステップＳ１２における判定で、未ＤＬ画像ファイルが検出されたと判定された場合（ステップＳ１２；ＹＥＳ）に、属性情報抽出部１２は、未ＤＬ画像ファイルの属性情報であるアドレス情報およびファイルサイズを、メモリに格納されたＨＴＭＬコンテンツから抽出する（ステップＳ１３）。
【００３１】
次に、文書情報抽出部１３は、属性情報抽出部１２により抽出された未ＤＬ画像ファイルのアドレス情報に基づいて、メモリに格納されたＨＴＭＬ文書からＨＴＭＬ文書情報であるタグ情報および記述行数を抽出する（ステップＳ１４）。
【００３２】
次に、テーブル格納部１４は、属性情報抽出部１２により抽出された属性情報、および文書情報抽出部１３により抽出されたＨＴＭＬ文書情報に基づいて、ＤＬファイル情報を生成し、当該ＤＬファイル情報をＤＬファイル情報テーブル１７に格納する（ステップＳ１５）。
【００３３】
次に、ダウンロード順設定部１５は、ＤＬファイル情報テーブル１７に格納されたＤＬファイル情報を、未ＤＬ画像ファイルの表示面積の小さい順に並び替えて、ダウンロードする順番を当該表示面積の小さい順に設定する（ステップＳ１６）。
【００３４】
次に、ダウンロード部１６は、ダウンロード順設定部１５により設定されたダウンロード順にしたがってＷｅｂサーバ２０から未ＤＬ画像ファイルをダウンロードして、画面上に表示させる（ステップＳ１７）。
【００３５】
上述した先読み処理は、ＨＴＭＬコンテンツに含まれる全ての画像ファイルのダウンロードが完了するまでは、スクロール操作が行われるたびに再度開始される。すなわち、スクロール操作が行われるたびに、上述したステップＳ１１に処理が移行し、再度ステップＳ１１以降の処理が行われる。
【００３６】
なお、上述した実施形態において、先読み処理が終了した後は（図４のステップＳ４）、通常のダウンロード処理（図４のステップＳ５）を行っているが、先読み処理が終了した後に実行されるダウンロードの手順を定めることとしてもよい。例えば、先読み処理が終了した場合には、画面下方向にスクロールされた場合に表示されるＨＴＭＬコンテンツに対応する未ＤＬ画像ファイルを優先してダウンロードすることとしてもよい。すなわち、現時点において画面上に表示されているＨＴＭＬコンテンツに対応するＨＴＭＬ文書の領域以降に記述されている画像ファイルを、その記述順にダウンロードすることとしてもよい。具体的に説明すると、未ダウンロード検出部１１は、ダウンロード部１６による未ＤＬ画像ファイルのダウンロードが完了した場合に、ＨＴＭＬコンテンツのうち、画面下方向にスクロールされたときに当該画面上に表示されるＨＴＭＬコンテンツに対応する画像ファイルから、未ＤＬ画像ファイルを検出する。この検出された未ＤＬ画像ファイルは、検出された順に画面上に表示される。このダウンロード手順は、人間が横書きの文章を読むときには、通常、上の行からから下の行に向けて順番に読むことを考慮したものであり、人間工学上有効な手順である。したがって、例えば、ユーザにより所望される情報がＨＴＭＬコンテンツの後半部分にある場合には、ユーザがスクロール操作により後半部分の先頭ページを画面上に表示させることによって、後半部分以降に表示される画像ファイルを、前半部分に表示される画像ファイルよりも優先してダウンロードすることができるため、ユーザのストレスをより軽減させることができる。
【００３７】
また、上述した実施形態においては、先読み処理が終了した後に通常のダウンロード処理を行っているが、通常のダウンロード処理は行わず、スクロールにより表示された画面に表示される画像のみ、上述した先読み処理により表示させることとしてもよい。すなわち、ダウンロード部１６は、未ダウンロード検出部１１により検出された未ＤＬ画像ファイルのみをダウンロードし、現時点において画面上に表示されていないＨＴＭＬコンテンツに対応する画像ファイルのダウンロードは行わないこととしてもよい。これにより、不要な通信を抑制することができ、特にパケット通信のような従量制課金のネットワークにおいて効果を発揮することができる。なお、通常のダウンロード処理を行うか否かは、ユーザによる設定により判断することとしてもよい。
【００３８】
また、本発明は、例えば、大容量のＨＴＭＬコンテンツを取得する場合や、通信回線として低速回線を利用する場合の情報通信端末に適用することで、より一層の効果を発揮し得る。
【００３９】
最後に、本発明の実施形態にかかるプログラム、および、当該プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００４０】
図６は、本発明の実施形態にかかる記録媒体の構成図である。記録媒体１００は、図６に示すように、プログラムを記録するプログラム領域１０１を備えている。このプログラム領域１０１には、プログラム１０２が記録されている。プログラム１０２は、未ダウンロード検出モジュール１０２ａと、属性情報抽出モジュール１０２ｂと、文書情報抽出モジュール１０２ｃと、テーブル格納モジュール１０２ｄと、ダウンロード順設定モジュール１０２ｅと、ダウンロードモジュール１０２ｆとを備えて構成される。ここで、未ダウンロード検出モジュール１０２ａ、属性情報抽出モジュール１０２ｂ、文書情報抽出モジュール１０２ｃ、テーブル格納モジュール１０２ｄ、ダウンロード順設定モジュール１０２ｅ、ダウンロードモジュール１０２ｆのそれぞれを動作させることによって実現する機能は、上記情報通信端末１０の未ダウンロード検出部１１、属性情報抽出部１２、文書情報抽出部１３、テーブル格納部１４、ダウンロード順設定部１５、ダウンロード部１６のそれぞれの機能と同様である。
【図面の簡単な説明】
【００４１】
【図１】発明の実施形態における通信システムのシステム構成を示す図である。
【図２】図１に示す情報通信端末の機能構成を示すブロック図である。
【図３】ＤＬファイル情報テーブルのデータ構成を示す図である。
【図４】情報通信端末１０の概要動作を示すフローチャートである。
【図５】先読み処理の詳細動作を示すフローチャートである。
【図６】プログラムを記録する記録媒体の構成を示す図である。
【符号の説明】
【００４２】
１・・・通信システム、１０・・・情報通信端末、１１・・・未ダウンロード検出部、１２・・・属性情報抽出部、１３・・・文書情報抽出部、１４・・・テーブル格納部、１５・・・ダウンロード順設定部、１６・・・ダウンロード部、１７・・・ＤＬファイル情報テーブル、２０・・・Ｗｅｂサーバ、３０・・・インターネット、１００・・・記録媒体、１０１・・・プログラム領域、１０２・・・プログラム、１０２ａ・・・未ダウンロード検出モジュール、１０２ｂ・・・属性情報抽出モジュール、１０２ｃ・・・文書情報抽出モジュール、１０２ｄ・・・テーブル格納モジュール、１０２ｅ・・・ダウンロード順設定モジュール、１０２ｆ・・・ダウンロードモジュール。
【図１】
2005165651.tif 000003
【図２】
2005165651.tif 000004
【図３】
2005165651.tif 000005
【図４】
2005165651.tif 000006
【図５】
2005165651.tif 000007
【図６】
2005165651.tif 000008